【事件の表示】
　特願２００３−１３０７０６「オフセット輪転印刷機のインキ乾燥装置」拒絶査定不服審判事件〔平成１６年１１月２５日出願公開、特開２００４−３３０６５２〕について、次のとおり審決する。
【結　論】
　本件審判の請求は、成り立たない。
【理　由】
１．出願の経緯
　本願は、平成１５年５月８日の出願であって、平成１６年１２月１６日付け拒絶理由通知に対して、平成１７年２月２１日付けで手続補正がなされたが、同年４月１４日付けで拒絶査定がなされ、これに対し、同年５月１８日に拒絶査定不服審判が請求されるとともに、同年６月１７日付けで明細書の手続補正がなされたものである。
　
　
　
２．平成１７年６月１７日付けの手続補正についての補正却下の決定
［補正却下の決定の結論］
　平成１７年６月１７日付けの手続補正（以下、「本件補正」という。）を却下する
　
［理　由］
２−１．本件補正について
　本件補正は、特許請求の範囲及び発明の詳細な説明についてするものであり、その補正前後の特許請求の範囲の記載は次のとおりのものである。
（本件補正前の特許請求の範囲：平成１７年２月２１日付け手続補正書）
「【請求項１】　印刷紙を内部に取り入れる入口と当該印刷紙を排出する出口とを有する印刷紙面上に付着するインキを乾燥させる乾燥部を具備し、印刷紙を搬送して前記乾燥部の内部を通過させて前記印刷紙面上に付着するインキを乾燥させるオフセット輪転印刷機のインキ乾燥装置において、
　前記インキ乾燥装置は、
　前記乾燥部の内部の空気を排出する排気ファンと、
　当該排気ファンにより排出される空気を燃焼する燃焼部と、
　当該燃焼部によって加熱された加熱空気を清浄化する脱臭装置と、
　当該清浄化された加熱空気を大気中へ排気する排気管と、
　当該乾燥部の出口外側に独立して設けられ、当該乾燥部の出口と連通し、当該乾燥部の出口から排出された印刷紙を通過させる空間部と、当該空間部を通過している印刷紙面上に滞留する残留蒸気を前記乾燥部の内部に吹き戻すエアーナイフノズルと、当該空間部を通過した印刷紙を排出する排出口と、を備えるチャンバと、
　当該大気中へ排気される清浄化された加熱空気の一部を当該エアーナイフノズル、空間部、及び前記乾燥部の入口に供給する管体と、を具備し、
　前記エアーナイフノズルは、
　当該空間部を通過している印刷紙に対して前記清浄化された加熱空気の一部を当該印刷紙の搬送方向と逆方向に吹き付けることを特徴とするインキ乾燥装置
　【請求項２】　前記管体に供給する清浄化された加熱空気の温度を調整する温度調整手段を備えていることを特徴とする請求項１に記載のオフセット輪転印刷機のインキ乾燥装置。
　【請求項３】　前記チャンバの排出口、及び乾燥部の入口近傍は、前記印刷紙面上に滞留する残留溶剤蒸気の析出下限温度以上に保たれることを特徴とする請求項１、又は２に記載のオフセット輪転印刷機のインキ乾燥装置。」
　
（本件補正後の特許請求の範囲）
「【請求項１】　印刷紙を内部に取り入れる入口と、当該印刷紙を排出する排出口とを有し、内部が負圧になっており印刷紙面上に付着するインキを乾燥させる乾燥部を具備し、前記印刷紙を高速で搬送して前記乾燥部の内部を通過させて前記印刷紙面上に付着するインキを乾燥させるオフセット輪転印刷機のインキ乾燥装置において、
　前記インキ乾燥装置は、
　前記乾燥部の内部の空気を排出する排気ファンと、
　当該排気ファンにより排出される空気を燃焼する燃焼部と、
　当該燃焼部によって加熱された加熱空気を清浄化する脱臭装置と、
　当該清浄化された加熱空気を大気中へ排気する排気管と、
　当該乾燥部の出口外側に独立して設けられ、当該乾燥部の出口と連通し、当該乾燥部の出口から排出された印刷紙を通過させる空間部と、当該空間部を通過している印刷紙面上に滞留する溶剤蒸気を前記乾燥部の内部に吹き戻すエアーナイフノズルと、当該空間部を通過した印刷紙を排出する排出口を備えるチャンバと、
　当該大気中へ排気される清浄化された加熱空気の一部を当該エアーナイフノズル、空間部、及び前記乾燥部の入口に供給する管体と、を具備し、
　前記エアーナイフノズルは、
　当該空間部を通過している印刷紙に対して前記清浄化された加熱空気の一部を当該印刷紙の搬送方向と逆方向に吹き付け、
　前記チャンバの排出口、及び乾燥部の入口近傍の温度は、前記印刷紙面上に滞留する溶剤蒸気の析出下限温度以上に保たれており、
　前記チャンバの空間部において高速で搬送される印刷紙面上に滞留する溶剤蒸気は、前記エアーナイフノズルから吹き付けられる清浄化された加熱空気と前記チャンバの排出口から流入する外気によって前記乾燥室の内部に吹き戻されることを特徴とするインキ乾燥装置。
　【請求項２】　前記管体に供給する清浄化された加熱空気の温度を調整する温度調整手段を備えていることを特徴とする請求項１に記載のオフセット輪転印刷機のインキ乾燥装置。」
　
　本件補正により、請求項の数が３から２に変更された。
　ここで、本件補正前後の特許請求の範囲を比較すると、独立請求項である請求項１については、補正前後において、その記載が概ね一致すること、ならびに、請求項１を引用する請求項２については補正前後において何ら記載が変更されていないことから見て、本件補正後の請求項１は本件補正前の請求項１に対応するものであると考えられる。
　上記を踏まえた上で、本件補正がいかなる事項を補正するものであるかについて以下に検討する。
　
　
２−２．補正目的について
　本件補正のうち、特許請求の範囲に対する補正は、補正前の特許請求の範囲の請求項１を、以下に示す（イ）乃至（ホ）のとおり補正するものである。
（イ）「印刷紙を内部に取り入れる入口と当該印刷紙を排出する出口とを有
　　　する印刷紙面上に付着するインキを乾燥させる乾燥部」との記載を、
　　　「印刷紙を内部に取り入れる入口と、当該印刷紙を排出する排出口と
　　　を有し、内部が負圧になっており印刷紙面上に付着するインキを乾燥
　　　させる乾燥部」とする補正
（ロ）「印刷紙を搬送して」との記載を「印刷紙を高速で搬送して」とする
　　　補正
（ハ）「印刷紙面上の残留蒸気」との記載を「印刷紙面上の溶剤蒸気」とす
　　　る補正
（ニ）「前記チャンバの排出口、及び乾燥部の入口近傍の温度は、前記印刷
　　　紙面上に滞留する溶剤蒸気の析出下限温度以上に保たれており、」と
　　　の記載を追加する補正
（ホ）「前記チャンバの空間部において高速で搬送される印刷紙面上に滞留
　　　する溶剤蒸気は、前記エアーナイフノズルから吹き付けられる清浄化
　　　された加熱空気と前記チャンバの排出口から流入する外気によって前
　　　記乾燥室の内部に吹き戻され」との記載を追加する補正
　
　上記各補正事項について検討する。
（１）補正事項（イ）について
　補正事項（イ）は、「乾燥部」という発明を特定するために必要な事項について、「内部が負圧」になっていることを限定するものであるから、特許請求の範囲の減縮を目的とするものであると認められる。
　
（２）補正事項（ロ）について
　補正事項（ロ）は、「インキ乾燥装置」の印刷紙の搬送が「高速」であるとするものであるから、少なくとも形式的には「インキ乾燥装置」の発明を特定するために必要な事項を限定するものである。したがって、特許請求の範囲の減縮を目的とするものであると解釈できる。
　
（３）補正事項（ハ）について
　補正事項（ハ）は、本件補正前の明細書全体において「残留蒸気」および「残留溶剤蒸気」という、同一物を指す記載が混在していたものを、「溶剤蒸気」として統一するように補正したものである。したがって、発明を特定するために必要な事項を実質的に変更するものではない。
　
（４）補正事項（ニ）について
　補正事項（ニ）は、「チャンバ」および「乾燥部」という発明を特定するために必要な事項に関して、「チャンバの排出口」および「乾燥部の入口」の近傍の温度が「溶剤蒸気の析出下限温度以上に保たれて」いることを限定するものであるから、特許請求の範囲の減縮を目的とするものであると認められる。
　
（５）補正事項（ホ）について
　補正事項（ホ）は、「溶剤蒸気」が「エアーナイフノズルから吹き付けられる清浄化された加熱蒸気」および「チャンバの排出口から流入する外気」によって乾燥室の内部に吹き戻されるという記載を追加するものであるが、該記載は、少なくとも、発明を特定するために必要な事項である「チャンバの排出口」が「外気」を「流入」できる構成であることを形式的に限定しているものと解釈できる。よって、特許請求の範囲の減縮を目的とするものであると解釈できるものである。
　
　よって、補正事項（イ）〜（ホ）よりなる本件補正は、全体として、平成１８年法律第５５号改正附則第３条第１項によりなお従前の例によるとされる同法による改正前の特許法第１７条の２第４項第２号に掲げる特許請求の範囲の減縮を目的とするものであると認め得るものであることから、本件補正後の請求項１に係る発明（以下、「本件補正発明」という。）について、これが特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かを、以下に検討する。
　
　
２−３．独立特許要件について
２−３−１．本件補正発明
　本件補正発明は、次のとおりのものである。
「印刷紙を内部に取り入れる入口と、当該印刷紙を排出する排出口とを有し、内部が負圧になっており印刷紙面上に付着するインキを乾燥させる乾燥部を具備し、前記印刷紙を高速で搬送して前記乾燥部の内部を通過させて前記印刷紙面上に付着するインキを乾燥させるオフセット輪転印刷機のインキ乾燥装置において、
　前記インキ乾燥装置は、
　前記乾燥部の内部の空気を排出する排気ファンと、
　当該排気ファンにより排出される空気を燃焼する燃焼部と、
　当該燃焼部によって加熱された加熱空気を清浄化する脱臭装置と、
　当該清浄化された加熱空気を大気中へ排気する排気管と、
　当該乾燥部の出口外側に独立して設けられ、当該乾燥部の出口と連通し、当該乾燥部の出口から排出された印刷紙を通過させる空間部と、当該空間部を通過している印刷紙面上に滞留する溶剤蒸気を前記乾燥部の内部に吹き戻すエアーナイフノズルと、当該空間部を通過した印刷紙を排出する排出口を備えるチャンバと、
　当該大気中へ排気される清浄化された加熱空気の一部を当該エアーナイフノズル、空間部、及び前記乾燥部の入口に供給する管体と、を具備し、
　前記エアーナイフノズルは、
　当該空間部を通過している印刷紙に対して前記清浄化された加熱空気の一部を当該印刷紙の搬送方向と逆方向に吹き付け、
　前記チャンバの排出口、及び乾燥部の入口近傍の温度は、前記印刷紙面上に滞留する溶剤蒸気の析出下限温度以上に保たれており、
　前記チャンバの空間部において高速で搬送される印刷紙面上に滞留する溶剤蒸気は、前記エアーナイフノズルから吹き付けられる清浄化された加熱空気と前記チャンバの排出口から流入する外気によって前記乾燥室の内部に吹き戻されることを特徴とするインキ乾燥装置。」
　
２−３−２．引用文献
（１）引用文献１
　原査定の拒絶の理由に引用され、本願出願前に頒布された刊行物である特開平１−２６７０４０号公報（以下、「引用文献１」という。）には、図示とともに以下（ａ）〜（ｇ）に示す記載がある。
　
（ａ）「本発明は、帯状の印刷紙を印刷して乾燥させる印刷機において、（帯状の印刷紙と共に移送される印刷インクの溶剤蒸気の煙を排除する装置に関する。」（公報第２頁右上欄第８行〜１２行）
　
（ｂ）「従って、上記の高速オフセット輪転印刷機においては、悪臭を放つ有害な印刷インクの溶剤蒸気が印刷機の周囲に漂うので、作業環境が悪く、作業者の健康に良くない。
　本発明の目的は、上記のような従来の課題を解決することである。」（公報第２頁左下欄最終行〜同頁右下欄第５行）
　
（ｃ）「本例の排煙装置を備えた高速オフセット輪転印刷機は、図面に示すように、印刷ローラ１の印刷紙送出側の後側に箱形の乾燥室２を設け、乾燥室２の前側壁に横長長方形状の入口３を、乾燥室２の後側壁に横長長方形状の出口４をそれぞれ設けて、乾燥室２内に、印刷ローラ１から送り出されて印刷された帯状の印刷紙Ｐが入口３から出口４に高速で通過する印刷紙通路５を形成している。
　乾燥室２内には、図面に示すように、乾燥室２を通過する帯状の印刷紙Ｐに熱風を吹き伺ける多数個のノズル６を印刷紙通路５を挟んで上下の位置に千鳥状に設け、多数個のノズル６から印刷紙Ｐの両面に吹き付ける熱風によって印刷紙Ｐの両面の印刷インクを乾燥する構成にしている。
　また、乾燥室２の前側壁と乾燥室２内の前端のノズル６の間には、図面に示すように、乾燥室２の前側壁の入口１３から送り込まれた帯状の印刷紙Ｐに熱風を吹き付ける２個のエアナイフ７を印刷紙通路５を挟んで上下の対称位置に設け、２個のエアナイフ７から印刷紙Ｐの両面に斜め前向きに吹き付ける熱風によって、印刷紙Ｐと共に乾燥室２内に送り込まれる外気を印刷紙Ｐから剥離する構成にしている。
　乾燥室２内には、図面に示すように、乾燥室２内の熱風を送風機８と加熱装置９を経て加熱して乾燥室２内の各ノズル６と各エアナイフ７に再び供給する熱風路１０を設けている。
　乾燥室２外には、図面に示すように、乾燥室２内の熱風の一部を送風機１１と浄化装置１２を経て浄化して大気に放出する浄化路１３を設けている。」（公報第４頁左下欄第２行〜同頁右上欄第１２行）
　
（ｄ）「乾燥室２内の後端のノズル６と乾燥室２の後側壁の間には、図面に示すように、間仕切りしてエアナイフ室１５を構成し、エアナイフ室１５の前側壁に、乾燥室２の印刷紙通路５が貫通する横長長方形状の入口１６を設け、乾燥室２の後側壁の出口４をエアナイフ室１５の出口に兼用し、乾燥室２内のノズル６によって熱風を吹き付けられて乾燥した帯状の印刷紙Ｐがエアナイフ室１５を高速で通過する構成にし、乾燥室２のエアナイフ室１５をその前側壁の入口１６によって乾燥室２に連通している。
　エアナイフ室１５内には、図面に示すように、エアナイフ室１５を通過する帯状の印刷紙Ｐに空気を吹き付ける４個のエアナイフ１７をエアナイフ室１５の印刷紙通路５を挟んで上下の対称位置に設け、４個のエアナイフ１７から印刷紙Ｐの両面に斜め前向きに吹き付ける空気によって、印刷紙Ｐと共に移送される印刷インクの溶剤蒸気の煙を印刷紙Ｐから剥離する構成にしている。」（公報第５頁左上欄第１行〜１９行）
　
（ｅ）「また、図面に示すように、エアナイフ室１５内の空気を送風機１９を経てエアナイフ室１５内の各エアナイフ１７と上段冷却シリンダ１４近接位置の各エアナイフ１８に供給する空気供給路２０を設けている。
　乾燥室２の後側壁と上段冷却シリンダ１４近接位置のエアナイフ１８の間には、図面に示すように、乾燥室２の後壁側の出口４を入口に兼用する排煙室２１を設け、排煙室２１の後側壁に、乾燥室２と上段の冷却シリンダ１４の間の印刷紙通路５が貫通する横長長方形状の出口２２を設け、エアナイフ室５を高速で通過した帯状の印刷紙Ｐが排煙室２１を高速で通過する構成にし、排煙室２１をその前側壁の入口４によってエアナイフ室１５に連通している。」（公報第５頁右上欄第１０行〜同頁左下欄第４行）
　
（ｆ）「また、乾燥室２と連通したエアナイフ室１５内の空気が空気供給路２０を経てエアナイフ室１５内の各エアナイフ１７と上段冷却シリンダ１４近接位置の各エアナイフ１８から、それぞれ、帯状の印刷紙Ｐの両面に吹き付けられて、印刷紙Ｐと共に移送される印刷インクの溶剤蒸気の煙が印刷紙Ｐの両面から剥離される。」（公報第５頁右下欄第１６行〜第６頁左上欄第２行）
　
（ｇ）「即ち、エアナイフ室１５内の空気は、乾燥室２内のノズル６から吹き出る熱風の温度より低温であり、また、乾燥室２内の熱風の温度より低温であり、かつ、印刷インクの溶剤蒸気が凝縮する温度より高温である。」（公報第６頁左上欄第１４行〜１８行）
　
　記載（ｃ）乃至（ｅ）および図面を参酌すると、引用文献１における「乾燥室２」は、間仕切りにより、印刷紙Ｐのインクの乾燥を行い、熱風の温度である「乾燥部」と「エアナイフ室１５」に分けられているものであると認められる。
　
　記載（ｃ）乃至（ｇ）および図面を参酌すると、引用文献１における「エアナイフ１７」は、空気を印刷紙Ｐに吹き付ける構成を有するものであるから、空気の吹き出し口を有する「ノズル」を備えているものであると認められる。
　
　記載（ｆ）および（ｇ）によると、引用文献１における「エアナイフ１７」は、そのノズルから、乾燥室２内の熱風の温度より低温であり、かつ、印刷インクの溶剤蒸気が凝縮する温度より高温（以下、「特定温度」という。）であるエアナイフ室１５の空気を吹き付けるものであると認められることから、「特定温度の空気」を吹き付けるものであると認められる。
　
　記載（ｅ）乃至（ｇ）および図面からみて、引用文献１における「空気供給路２０」は、「エアナイフ１７」のノズルに特定温度の空気を供給するものであり、かつ、前記「エアナイフ１７」のノズルを介して「エアナイフ室１５の印刷紙通路５」にも特定温度の空気を供給するものであると認められる。
　
　記載（ｃ）および図面からみて、引用文献１における「熱風路１０」は、乾燥室２の「乾燥部」の「入口３」側に設けられたエアナイフ７に熱風を供給するものであると認められる。
　
　記載（ｇ）からみて、引用文献１における乾燥室２の一部である「乾燥部」および「エアナイフ室１５」の温度は、ともに印刷インクの溶剤蒸気が凝縮する温度より高温であると認められることから、エアナイフ室１５の出口を兼用する乾燥室２の出口４近傍、および、乾燥室２の入口３近傍の温度も、当然、印刷インクの溶剤蒸気が凝縮する温度より高温になっていると認められる。
　
　引用文献１の明細書ならびに図面全体を参酌しつつ、上記記載（ａ）〜記載（ｆ）を検討すると、引用文献１には次の発明が記載されている（以下、「引用発明１」という。）と認められる。
「印刷紙Ｐが送り込まれる入口３と、横長長方形状の出口４とを有し、印刷紙Ｐの印刷インクを乾燥させる乾燥部を具備し、該乾燥部を高速で通過する前記印刷紙Ｐの印刷インクを乾燥させる高速オフセット輪転印刷機の乾燥室２であって、
　前記乾燥室２は、
　前記乾燥部内の熱風を送風機８と加熱装置９を経て加熱して前記乾燥部内の各ノズル６と前記乾燥部の入口３側に設けられた各エアナイフ７に再び供給する熱風路１０と、
　当該乾燥室２内の熱風の一部を送風機１１と浄化装置１２を経て浄化して大気に放出する浄化路１３と、
　エアナイフ室１５の入口１６の外側に間仕切りして設けられ、当該乾燥部に連通し、当該エアナイフ室１５の入口１６から移送された印刷紙Ｐが高速で通過するエアナイフ室１５の印刷紙通路５と、印刷紙Ｐと共に移送される印刷インクの溶剤蒸気の煙を剥離するために斜め前向きに特定温度の空気を吹き付けるエアナイフ１７のノズルと、印刷紙Ｐが通過するエアナイフ室１５の出口を兼用する乾燥室２の出口４とを備えるエアナイフ室１５と、
　当該エアナイフ１７のノズルおよび前記エアナイフ室１５の印刷紙経路５に特定温度の空気を供給する空気供給路２０と、前記乾燥室２の入口３に熱風を供給する熱風路１０と、を具備し、
　前記エアナイフ１７のノズルは、
　当該エアナイフ室１５の印刷紙通路５を通過する印刷紙Ｐに対して斜め前向きに特定温度の空気を吹き付け、
　前記エアナイフ室１５の出口を兼用する乾燥室２の出口４、及び乾燥室２の乾燥部の入口３近傍の温度は、印刷インクの溶剤蒸気が凝縮する温度より高温になっている乾燥室２。」
　
（２）引用文献２
　原査定の拒絶の理由に引用され、本願出願前に頒布された刊行物である特開昭６０−２４９５０号公報（以下、「引用文献２」という。）には、図示とともに以下（い）〜（ろ）に示す記載がある。
　
（い）「本発明の目的は、上記のような従来の状況からして、臭気の漏出を十分に防止することができ、かつ、エネルギ消費量が少ない印刷物の熱風連続乾燥装置を提供することである。」（公報第２頁左上欄第２行〜５行）
　
（ろ）「本例の印刷物の熱風連続乾燥装置においては、図示しない印刷機から送出された帯状印刷物（Ｐ）が乾燥室の入口（２）側の浄化高温空気室（２０）、入口（２）、乾燥室（１）の内部、出口（３）と出口（３）側の浄化高温空気室（２０）を順次通過し、一方、熱風循環路において熱風が循環し、乾燥室（１）の内部において熱風によつて帯状印刷物（Ｐ）が連続して乾燥され、また、浄化路において熱風循環路の印刷インキの溶剤蒸気を含んだ熱風の一部が酸化によって浄化され、その浄化されて高温になつた空気が大気に放出される一方、各浄化高温空気路（２２）を経て各浄化高温空気室（２０）に供給される。すると、各浄化高温空気室（２０）が正圧になると共に乾燥室（１）が負圧になり、各浄化高温空気室の浄化高温空気がそれぞれ入口（２），出口（３）を経て乾燥室（１）に流入する。」（公報第２頁右下欄第１１行〜第３頁左上欄第５行）
　
２−３−３．対比
　本件補正発明と引用発明１とを対比する。
　引用発明１における「印刷紙Ｐが送り込まれる入口３」は、本件補正発明における「印刷紙を内部に取り入れる入口」に相当する。
　引用発明１における「横長長方形状の出口４」は、本件補正発明における「印刷紙を排出する排出口」に相当する。
　引用発明１における「印刷紙Ｐの印刷インク」は、本件補正発明における「印刷紙面上に付着するインキ」に相当する。
　引用発明１における「高速オフセット輪転印刷機」は、本件補正発明における「オフセット輪転印刷機」に相当する。
　引用発明１における「乾燥室２」は、本件補正発明における「インキ乾燥装置」に相当する。
　引用発明１における「送風機８」と本件補正発明における「排気ファン」とは、乾燥部の内部の空気を流動させる「空気流動機構」である点で一致している。
　引用発明１における「加熱装置９」と本件補正発明における「燃焼部」とは、空気流動機構により流動された空気を加熱するために使用される「加熱機構」である点で一致している。
　引用発明１における「熱風」および「特定温度の空気」は、ともに常温よりも加熱された空気を意味するものであるから、本件補正発明における「加熱空気」に相当する。
　引用発明１における「浄化」は、本件補正発明における「清浄化」に相当する。
　引用発明１における「浄化装置１２」は、「熱風」を「浄化」する、すなわち「加熱空気」を「清浄化」するものであり、これによって悪臭を放つ有害な印刷インクの溶剤蒸気を清浄化するものであると認められることから、本件補正発明における「脱臭装置」に相当する。
　引用発明１における「浄化路１３」は、「浄化」された「熱風」、すなわち、「清浄化」された「加熱空気」を大気に開放するものであるから、本件補正発明における、加熱空気を大気中へ排気する「排気管」に相当する。
　引用発明１における「エアナイフ室１５の入口１６」は、乾燥部の出口としても機能しているものであるから、本件補正発明における「乾燥部の出口」に相当する。
　引用発明１における、「移送された印刷紙Ｐ」は、本件補正発明における「排出された印刷紙」に相当する。
　引用発明１における「エアナイフ室１５の印刷紙通路５」は、本件補正発明における「印刷紙を通過させる空間部」に相当する。
　引用発明１における「印刷紙Ｐと共に移送される印刷インクの溶剤蒸気の煙」は、本件補正発明における「印刷紙面上に滞留する溶剤蒸気」に相当する。
　引用発明１において「溶剤蒸気の煙を剥離するために斜め前向きに高温の空気を吹き付ける」ことと、本件補正発明において「溶剤蒸気を乾燥部の内部に吹き戻す」こと、および「加熱空気の一部を印刷紙の搬送方向と逆方向に吹き付け」ることとは、いずれも「加熱空気を吹き付けて溶剤蒸気を取り除く」ことである点において一致している。
　引用発明１における「エアナイフ１７のノズル」は、本件補正発明における「エアーナイフノズル」に相当する。
　引用発明１における「エアナイフ室１５の出口を兼用する乾燥室２の出口４」は、印刷紙通路５を通過する印刷紙Ｐをエアナイフ室１５から排出するための構成であるから、本件補正発明における、空間部を通過した印刷紙を排出する「排出口」に相当する。
　引用発明１における「エアナイフ室１５」は、「間仕切り」により「乾燥部」とは独立した空間として構成されているものであるから、本件補正発明における「チャンバ」に相当する。
　引用発明１における「空気供給路２０」および「熱風路１０」は、それぞれ、高温の空気及び熱風を供給するための「空気流路」として構成されているものであるから、本件補正発明における「管体」とは、「加熱空気」を供給するための「空気流路」である点で一致している。
　引用発明１における「印刷インクの溶剤蒸気が凝縮する温度より高温になっている」状態とは、本件補正発明における「印刷紙面上に滞留する溶剤蒸気の析出下限温度以上に保たれて」いる状態に相当する。
　
　してみると、本件補正発明と引用発明１とは、以下の点で一致している。
＜一致点＞
「印刷紙を内部に取り入れる入口と、印刷紙を排出する排出口とを有し、印刷紙面上に付着するインキを乾燥させる乾燥部を具備し、前記印刷紙を高速で搬送して乾燥部の内部を通過させて印刷紙面上に付着するインキを乾燥させるオフセット輪転印刷機のインキ乾燥装置であって、
　前記インキ乾燥装置は、
　前記乾燥部の内部の空気を流動させる空気流動機構と、
　当該空気流動機構により送られた空気を加熱する加熱機構と、
　当該加熱機構によって加熱された加熱空気を清浄化する脱臭装置と、
　当該清浄化された加熱空気を大気中へ排気する排気管と、
　当該乾燥部の出口外側に独立して設けられ、前記乾燥部の出口と連通し、当該乾燥部の出口から排出された印刷紙が通過する空間部と、加熱空気を吹き付けて印刷紙面上に滞留する溶剤蒸気を取り除くエアーナイフノズルと、当該空間部を通過した印刷紙を排出する排出口を備えるチャンバと、
　当該エアーナイフノズル、前記空間部および前記乾燥部の入口に加熱空気を供給する空気流路と、を具備し
　前記エアーナイフノズルは、
　当該空間部を通過している印刷紙に加熱空気を吹き付けて印刷紙面上に滞留する溶剤蒸気を取り除き、
　前記チャンバの排出口、及び乾燥部の入口近傍の温度は、印刷紙面上に滞留する溶剤蒸気の析出下限温度以上に保たれているインキ乾燥装置。」
　
　一方で、引用発明１と、本件補正発明とは、以下の点で相違している。
＜相違点１＞
　本件補正発明は、乾燥部の内部が「負圧」であると特定されるものであるのに対し、引用発明１は、乾燥部の内部の圧力に関する規定はなく、上記特定を有していない点。
　
＜相違点２＞
　本件補正発明は、「空気流動機構」として乾燥部の内部の空気を「排出」する「排気ファン」を備えると特定されるものであるのに対し、引用発明１は、「空気流動機構」として乾燥部の内部の空気を送る「送風機８」を備えるものではあるものの、上記特定を有するものであるかどうか不明である点。
　
＜相違点３＞
　本件補正発明は、「加熱機構」として「空気を燃焼する燃焼部」を備えると特定されるものであるのに対し、引用発明１は、「加熱機構」として「加熱装置９」を備えるものではあるものの、「加熱装置９」が具体的にどのような構成を有するものであるのかは規定されておらず、上記特定を有するものであるのかどうか不明である点。
　
＜相違点４＞
　本件補正発明は、「エアーナイフノズル、前記空間部および前記乾燥部の入口に加熱空気を供給する空気流路」に関し、この「空気流路」を「管体」で構成するとともに、「加熱空気」として「大気中へ排気される清浄化された加熱空気の一部」を供給すると特定されるものであるのに対し、引用発明１の「エアーナイフノズル、前記空間部および前記乾燥部の入口に加熱空気を供給する空気流路」はそのようには構成されておらず、上記特定を有さない点。
　
＜相違点５＞
　本件補正発明は、「エアーナイフノズル」が加熱空気を吹き付けて印刷紙面上から溶剤蒸気を取り除く構成として、「溶剤蒸気を乾燥部の内部に吹き戻す」ために「加熱空気の一部を印刷紙の搬送方向と逆方向に吹き付け」るものであると特定されるのに対し、引用発明１の「エアーナイフノズル」は、「斜め前向きに加熱空気を吹き付ける」ものではあるものの、上記特定を有するものであるかどうか不明である点。
　
＜相違点６＞
　本件補正発明は、「溶剤蒸気」が「エアーナイフノズルから吹き付けられる清浄化された加熱空気とチャンバの排出口から流入する外気によって乾燥室の内部に吹き戻される」ものであると特定されるのに対し、引用発明１には上記吹き戻しに関する規定はなく、上記特定を有するものであるかどうか不明である点。
　
２−３−４．判断
　上記各相違点について検討する。
　
＜相違点１＞について
　印刷機のインキ乾燥装置という技術分野において、乾燥部の内部を負圧にすることにより、溶剤蒸気が漏れないようにする技術は、例えば引用文献２（特に、上記「２−３−１．（２）　記載（ろ）　参照。），特開昭５９−８９１５８号公報（特に、公報第６頁左上欄第１行〜第８行参照。）にも記載されているように、周知のものである。
　引用発明１と上記周知技術とは、ともに、印刷機のインキ乾燥装置という共通した技術分野に属するものであり、かつ、溶剤蒸気を排除するという、共通した課題を有するものである。
　したがって、引用発明１における乾燥部に対し、上記周知技術である乾燥部の内部を負圧にする技術を採用し、もって＜相違点１＞の構成とすることは、当業者ならば容易に想到することができたものである。
　
＜相違点２＞について
　引用発明１における「空気流動機構」である「送風機８」は、加熱空気を生成するための「熱風路１０」内に設けられているものである。
　ここで、「熱風路」のような空気流路として、空気が流れるための空間を仕切った構成を用いる技術は、広く一般的に慣用されているものである。
　してみると、引用発明１における「熱風路１０」として、上記慣用技術である空間が仕切られた構成を採用した場合には、熱風路１０に送られた空気は、乾燥室２の熱風路以外の箇所からは「排出」されたものとなるものである。
　また、「空気流動機構」として「ファン」を使用する技術も、例を挙げるまでもなく慣用されているものに過ぎないことから、引用発明１の「送風機８」に替えて、上記慣用技術である「ファン」を採用することは、当業者ならば容易に想到することができたものである。
　したがって、＜相違点２＞の構成は、引用発明１および慣用技術から、当業者が容易に想到することができたものである。
　
＜相違点３＞について
　印刷機のインキ乾燥装置という技術分野において、乾燥のための加熱空気を生成する加熱機構として「空気を燃焼する燃焼部」を用いる技術は、例えば特開昭５９−８９１５８号公報（特に、公報第４頁左上欄第１６行〜第２０行および第２図参照。），特開平１−２４７１６５号公報（特に、公報第２頁右上欄第１６行〜１８行および第１図参照），特開平９−２５４３６０号公報（特に、段落【００２０】および図１参照。）にも記載されているように、周知のものである。
　引用発明１と上記周知技術とは、ともに、印刷機のインキ乾燥装置という共通した技術分野に属するものであり、かつ、インキを乾燥するという共通した機能ならびに作用をを有するものである。
　したがって、引用発明１における加熱機構として、上記周知技術である「空気を燃焼する燃焼部」を採用し、もって＜相違点３＞の構成とすることは、当業者ならば容易に想到することができたものである。
　
＜相違点４＞について
　引用文献２の明細書ならびに図面全体を参酌しつつ、上記「２−３−２（２）引用文献２」にて示した記載（い）および記載（ろ）を検討すると、引用文献２には以下の技術事項が記載されていると認められる。
「印刷機から送出される帯状印刷物（Ｐ）を乾燥する熱風連続乾燥装置であって、浄化されて高温になった空気が、大気に放出される一方で乾燥室の入口（２）側の浄化高温空気室（２０）及び乾燥室の出口（３）側の浄化高温空気室（２０）に供給される熱風連続乾燥装置。」
　ここで、引用文献２に記載された「帯状印刷物（Ｐ）」、「熱風連続乾燥装置」、「高温になった空気」、「浄化」および「大気に放出される」は、それぞれ、本件補正発明における「印刷紙」、「インキ乾燥装置」、「加熱空気」、「清浄化」および「大気中へ排出される」に相当する。
　つまり、引用文献２には、以下の技術事項が開示されている。
「印刷機から送出される印刷紙を乾燥するインキ乾燥装置であって、大気中へ排出される清浄化された加熱空気の一部を、乾燥室の入口側の浄化高温空気室及び乾燥室の出口側の浄化高温空気室に供給するインキ乾燥装置。」
　
　引用発明１と引用文献２に記載された技術事項とは、印刷機のインキ乾燥装置という共通した技術分野に属するものであり、かつ、印刷紙面上のインキの溶剤蒸気を除去するとともにインキ乾燥装置の周りにインキの溶剤蒸気による臭気が漏れないようにするという共通した課題を有するものである。
　したがって、引用発明１において、より一層、インキ乾燥装置の周りにインキの溶剤蒸気による臭気が漏れないようにするために、エアーナイフノズル、空間部および乾燥部の入口に供給する加熱空気として、引用文献２に記載された「大気中へ排出される清浄化された加熱空気の一部」を使用することは、当業者ならば容易に想到することができたものである。
　その際、「大気中へ排出される清浄化された加熱空気の一部」を加熱空気として使用するために、引用発明１における「空気供給路２０」および「熱風路１０」に替えて、「大気中へ排出される清浄化された加熱空気の一部」を供給する「空気流路」を設けることも、当業者ならば容易に想到することができたものである。
　そして、「空気流路」を「管体」で構成する技術は、例を挙げるまでもなく慣用されているものに過ぎない。
　よって、上記＜相違点４＞の構成は、引用発明１、引用文献２に記載された技術事項および慣用技術から、当業者が容易に想到することができたものである。
　
＜相違点５＞について
　引用発明１において、「斜め前向きに加熱空気を吹き付ける」際の「斜め前向き」というのは、印刷紙の搬送方向に対しどのような方向を意味するものであるのか、引用文献１には明記はない。
　しかしながら、
（α）引用文献１の図面におけるエアナイフ１７のノズルの向きは、エアナ
　　　イフ室１５の入口１６に向かって吹き付けていると考えられることか
　　　ら、印刷紙の搬送方向と逆方向に風を吹き付けることを示唆するもの
　　　であると考えられること
（β）乾燥室の出口から排出された印刷紙に対し、前記乾燥室の出口方向、
　　　すなわち、印刷紙の搬送方向と逆方向に風を吹き付けることにより、
　　　インキの溶剤蒸気を除去するエアーナイフノズルが、例えば特開昭６
　　　１−２０６６５５号公報（特に、公報第３頁左上欄第１１行〜第１９
　　　行および第１図参照。），実願昭５９−１８９８０５号（実開昭６１
　　　−１０５１４３号）のマイクロフィルム（特に、実用新案登録請求の
　　　範囲および第１図参照。）等に記載されているように、当該技術分野
　　　において周知のものであったこと
を考慮すれば、引用発明１におけるエアーナイフノズルを、印刷紙の搬送方向とは逆方向に加熱空気を吹き付けて、溶剤蒸気を乾燥部の内部に吹き戻す構成とすることは、当業者ならば容易に想到することができたものである。
　よって、＜相違点５＞の構成は、引用発明１および周知事項から、当業者が容易に想到することができたものである。
　
＜相違点６＞について
　上記「＜相違点５＞について」にて示したように、「溶剤蒸気」が「エアーナイフノズル」から吹き付けられる加熱空気によって乾燥部の内部に吹き戻されるように設計することは、引用発明１および周知事項から、当業者が容易に想到することができたものである。
　また、上記「＜相違点１＞について」にて示したように、乾燥部の内部が負圧になるように設計することも、引用発明１および周知技術から、当業者が容易に想到することができたものである。
　ここで、引用発明１のチャンバの排出口である「乾燥室２の出口４」は、印刷紙が乾燥室２の外部に排出される排出口であり、乾燥室２の外側の空気、すなわち、外気と連通されているものである。したがって、引用発明１における乾燥部の内部が負圧にされるとともにエアーナイフノズルが印刷紙の搬送方向とは逆方向に加熱空気を吹き付けるように設計された場合には、当然、「乾燥室２の出口４」から外気が流入し、溶剤蒸気を乾燥室の内部に吹き戻すことに寄与すると考えられる。
　したがって、＜相違点６＞の構成は、引用発明、周知技術および周知事項から、当業者が容易に想到することができたものである。
　
２−３−５．独立特許要件についてのまとめ
　上記のとおりであるから、＜相違点１＞乃至＜相違点６＞の構成は、当業者が引用発明１および引用文献２に記載された技術事項、周知技術、周知事項および慣用技術に基づいて、当業者が容易に想到することができたものであり、それにより得られる効果も、当業者ならば予測することができた程度のものに過ぎない。
　
　よって、本件補正発明は、当業者が容易に発明をすることができたものであるから、特許法第２９条第２項の規定により特許出願の際独立して特許を受けることができない。
　すなわち、本件補正は平成１８年改正前特許法第１７条の２第５項で準用する同法第１２６条第５項の規定に違反している。
　
　
２−４．補正却下の決定のむすび
　以上のとおり、本件補正は平成１８年改正前特許法第１７条の２第条５項において準用する同法第１２６条第５項の規定する要件を満たさないものであり、同法第１５９条第１項で読み替えて準用する同法第５３条第１項の規定により却下すべきものである。
　
　よって、補正の却下の決定の結論のとおり決定する。
　
　
　
３．本願発明について
３−１．本願発明
　本件補正は上記のとおり却下されたため、本願の請求項１乃至３に記載された発明は、平成１７年２月２１日付け手続補正書にて補正された前記「２−１．（本件補正前の特許請求の範囲：平成１７年２月２１日付け手続補正書）」にて示したとおりのものであるところ、請求項１に係る発明（以下、「本願発明」という。）は、次のとおりのものである。
「印刷紙を内部に取り入れる入口と当該印刷紙を排出する出口とを有する印刷紙面上に付着するインキを乾燥させる乾燥部を具備し、印刷紙を搬送して前記乾燥部の内部を通過させて前記印刷紙面上に付着するインキを乾燥させるオフセット輪転印刷機のインキ乾燥装置において、
　前記インキ乾燥装置は、
　前記乾燥部の内部の空気を排出する排気ファンと、
　当該排気ファンにより排出される空気を燃焼する燃焼部と、
　当該燃焼部によって加熱された加熱空気を清浄化する脱臭装置と、
　当該清浄化された加熱空気を大気中へ排気する排気管と、
　当該乾燥部の出口外側に独立して設けられ、当該乾燥部の出口と連通し、当該乾燥部の出口から排出された印刷紙を通過させる空間部と、当該空間部を通過している印刷紙面上に滞留する残留蒸気を前記乾燥部の内部に吹き戻すエアーナイフノズルと、当該空間部を通過した印刷紙を排出する排出口と、を備えるチャンバと、
　当該大気中へ排気される清浄化された加熱空気の一部を当該エアーナイフノズル、空間部、及び前記乾燥部の入口に供給する管体と、を具備し、
　前記エアーナイフノズルは、
　当該空間部を通過している印刷紙に対して前記清浄化された加熱空気の一部を当該印刷紙の搬送方向と逆方向に吹き付けることを特徴とするインキ乾燥装置。」
　
　
３−２．引用文献
　原査定の拒絶の理由で引用された引用文献およびこれらの記載事項は、前記「２−３−２．引用文献」に記載したとおりである。
　
　
３−３．対比・判断
　本願発明は、前記「２−３．独立特許要件について」で検討した本件補正発明から、
（甲）発明を特定するために必要な事項である「乾燥部」について、「内部
　　　が負圧になっており」との限定を省き、
（乙）発明を特定するために必要な事項である「インキ乾燥装置」が印刷紙
　　　を搬送する際に、「高速」で搬送するとの限定を省き、
（丙）「印刷紙面上に滞留する溶剤蒸気」を、「印刷紙面上に滞留する残留
　　　蒸気」とし、
（丁）「前記チャンバの排出口、及び乾燥部の入口近傍の温度は、前記印刷
　　　紙面上に滞留する溶剤蒸気の析出下限温度以上に保たれており、」と
　　　の限定を省くと共に、
（戊）「前記チャンバの空間部において高速で搬送される印刷紙面上に滞留
　　　する溶剤蒸気は、前記エアーナイフノズルから吹き付けられる清浄化
　　　された加熱空気と前記チャンバの排出口から流入する外気によって前
　　　記乾燥室の内部に吹き戻される」との記載を削除したもの
に相当する。
　ここで、上記（丙）については、上記「２−２．（３）補正事項（ハ）について」で述べたとおり、「溶剤蒸気」と「残留蒸気」とは同一物を指すものと認められることから、実質的に構成要件を変更するものではない。
　したがって、上記「２−３．独立特許要件について」で検討した本件補正発明は、実質的に本願発明の構成要件を全て含み、さらに他の構成要件が付加されていたものであると認められる。
　そうすると、本願発明の構成要件を全て含み、さらに他の構成要件を付加したものに相当する本件補正発明が、上記「２−３．独立特許要件について」に記載したとおり、引用発明１および引用文献２に記載された技術事項、周知技術、周知事項および慣用技術に基づいて、当業者が容易に発明をすることができたものであるから、本願発明も同様の理由により、引用発明１および引用文献２に記載された技術事項、周知技術、周知事項および慣用技術に基づいて、当業者が容易に発明をすることができたものである。
　
　
３−４．むすび
　以上のとおり，本願発明は、特許法第２９条第２項の規定により特許を受けることができないものである。
　したがって、その余の請求項について論及するまでもなく、本願は、拒絶すべきものである。
　よって，結論のとおり審決する。